(57)【要約】【課題】デジタル放送信号受信装置において、煩雑な操作をおこなうことなくＨＤ放送のチャンネルをテレビモニタに表示させるようにする。【解決手段】本受信装置１は、チューナ２とデコーダ部３とＯＳＤ部４とリモコン５とリモコン受信部６とメモリ７とＣＰＵ８とを備える。ＣＰＵ８は、リモコン８によりチャンネル選局されたとき、チャンネルマップ中に同一内容のテレビ番組を同一の時間帯に放送する２以上の同一内容番組放送チャンネルがあるか否かの判断を行う。同一内容番組放送チャンネルがあるとき、選局されたチャンネルと同一内容番組放送チャンネルについて、ＳＤ放送又はＨＤ放送のいずれであるかの放送種別の判別を行い、選局されたチャンネルがＳＤ放送のチャンネルであって、同一内容番組放送チャンネル中にＨＤ放送のチャンネルがあるとき、選局されたチャンネルを同一内容番組放送チャンネル中に含まれるＨＤ放送のチャンネルに切り替える。【選択図】図１
2009152739.tif 000002
【特許請求の範囲】
【請求項１】
放送局から各チャンネルで配信されるＳＤ（Standard Definition）放送信号とＨＤ（High Definition）放送信号からなるデジタル放送信号を受信する受信手段と、
前記受信手段によって受信されたデジタル放送信号を復号し、本装置に接続されたテレビモニタに番組情報を含むＳＤ放送データ又はＨＤ放送データを出力する復号手段と、
前記受信手段が受信可能なチャンネルの情報をチャンネルマップとして記憶する記憶手段と、
ユーザによって操作され、前記チャンネルマップに基づいたチャンネル選局やその他各種操作を行うための操作手段と、
上記各部を制御する制御手段を備え、前記操作手段によるチャンネル選局に応じて、ＳＤ放送のチャンネル又はＨＤ放送のチャンネルで放送されるテレビ番組を前記テレビモニタに表示させるデジタル放送信号受信装置において、
前記制御手段は、
前記操作手段によりチャンネル選局されたとき、選局されたチャンネルに対して、前記復号手段によるＳＤ放送データ又はＨＤ放送データが保持する番組情報に基づき、前記チャンネルマップ中に同一内容のテレビ番組を同一の時間帯に放送する２以上の同一内容番組放送チャンネルがあるか否かの判断を行い、
同一内容番組放送チャンネルがあると判断したとき、同一内容番組放送チャンネルについて、ＳＤ放送又はＨＤ放送のいずれであるかの放送種別の判別を行い、
前記判別を行った結果、選局されたチャンネルがＳＤ放送のチャンネルであって、同一内容番組放送チャンネル中にＨＤ放送のチャンネルがあるとき、自動的に又は前記操作手段での操作に応じて、選局されたチャンネルを同一内容番組放送チャンネル中に含まれるＨＤ放送のチャンネルに切り替えることを特徴とするデジタル放送信号受信装置。
【請求項２】
前記制御手段は、
前記番組情報に基づいて、各チャンネルで放送されるテレビ番組の一覧から成るＥＰＧ（Electronic Program Guide）画面を前記テレビモニタに表示させるＥＰＧ画面表示機能を有し、
前記操作手段によりテレビ番組の一覧を表示させる操作が行われたとき、前記チャンネルマップ中に含まれる全てのチャンネルに対して前記判断を行い、同一内容番組放送チャンネルがあると判断したとき、当該同一内容番組放送チャンネルについて前記判別を行い、
前記判別を行った結果、同一内容番組放送チャンネル中にＳＤ放送のチャンネルとＨＤ放送のチャンネルの双方があるとき、同一内容番組放送チャンネルのテレビ番組として、当該チャンネル中に含まれるＨＤ放送のチャンネルのテレビ番組のみをＥＰＧ画面上に表示することを特徴とする請求項１に記載のデジタル放送信号受信装置。
【請求項３】
前記制御手段は、
前記操作手段により所定の操作が行われたとき、前記チャンネルマップ中に含まれる全てのチャンネルに対して前記判断を行い、同一内容番組放送チャンネルがあると判断したとき、当該同一内容番組放送チャンネルについて前記判別を行い、
前記判別を行った結果、同一内容番組放送チャンネル中にＳＤ放送のチャンネルとＨＤ放送のチャンネルの双方があるとき、自動的に又は前記操作手段での操作に応じて、前記チャンネルマップから同一内容番組放送チャンネル中に含まれるＳＤ放送のチャンネルの情報を削除することを特徴とする請求項１又は請求項２に記載のデジタル放送信号受信装置。
【発明の詳細な説明】
【技術分野】
【０００１】
本発明は、ＳＤ（Standard Definition）放送信号とＨＤ（High Definition）放送信号からなるデジタル放送信号を受信し、ＳＤ放送のチャンネル又はＨＤ放送のチャンネルで放送されるテレビ番組をテレビモニタ等に表示させるデジタル放送信号受信装置に関する。
【背景技術】
【０００２】
従来から、ＳＤ放送のチャンネルとＨＤ放送のチャンネルの双方で同一内容の番組を同時に放送していることがある。ＳＤ放送信号とＨＤ放送信号を受信することが可能な放送信号受信装置においては、画質及び音質等の観点からもＳＤ放送のチャンネルを選局するメリットはないといえる。
【０００３】
特許文献１には、チャンネルのアップ／ダウン選局に関し、ＳＤ放送と判断した場合には、各チャンネル毎にアップ／ダウン選局を行い、ＨＤ放送と判断した場合には、ＨＤＴＶを行うＳＤＴＶの複数チャンネルを統合して一つのチャンネルとして取扱い、アップ／ダウン選局を行う技術が示されている。
【特許文献１】特開２００１−１８９８９４号公報
【発明の開示】
【発明が解決しようとする課題】
【０００４】
ところが、上記特許文献１に示された技術では、同一内容の番組を同時に放送しているＳＤ放送のチャンネルとＨＤ放送のチャンネルがあるときに、ＳＤ放送のチャンネルが選局されると、ＨＤ放送のチャンネルに切り替える必要があり、操作が煩雑となって使い勝手が悪い。
【０００５】
本発明は、上記課題を解決するためになされたものであり、同一内容のテレビ番組を同一の時間帯に放送するチャンネルがあるとき、煩雑な操作をおこなうことなく、ＨＤ放送のチャンネルをテレビモニタに表示させることができるデジタル放送信号受信装置を提供することを目的とする。
【課題を解決するための手段】
【０００６】
上記目的を達成するために請求項１の発明は、放送局から各チャンネルで配信されるＳＤ（Standard Definition）放送信号とＨＤ（High Definition）放送信号からなるデジタル放送信号を受信する受信手段と、前記受信手段によって受信されたデジタル放送信号を復号し、本装置に接続されたテレビモニタに番組情報を含むＳＤ放送データ又はＨＤ放送データを出力する復号手段と、前記受信手段が受信可能なチャンネルの情報をチャンネルマップとして記憶する記憶手段と、ユーザによって操作され、前記チャンネルマップに基づいたチャンネル選局やその他各種操作を行うための操作手段と、上記各部を制御する制御手段を備え、前記操作手段によるチャンネル選局に応じて、ＳＤ放送のチャンネル又はＨＤ放送のチャンネルで放送されるテレビ番組を前記テレビモニタに表示させるデジタル放送信号受信装置において、前記制御手段は、前記操作手段によりチャンネル選局されたとき、選局されたチャンネルに対して、前記復号手段によるＳＤ放送データ又はＨＤ放送データが保持する番組情報に基づき、前記チャンネルマップ中に同一内容のテレビ番組を同一の時間帯に放送する２以上の同一内容番組放送チャンネルがあるか否かの判断を行い、同一内容番組放送チャンネルがあると判断したとき、同一内容番組放送チャンネルについて、ＳＤ放送又はＨＤ放送のいずれであるかの放送種別の判別を行い、前記判別を行った結果、選局されたチャンネルがＳＤ放送のチャンネルであって、同一内容番組放送チャンネル中にＨＤ放送のチャンネルがあるとき、自動的に又は前記操作手段での操作に応じて、選局されたチャンネルを同一内容番組放送チャンネル中に含まれるＨＤ放送のチャンネルに切り替えることを特徴とするものである。
【０００７】
請求項２の発明は、請求項１に記載の発明において、前記制御手段は、前記番組情報に基づいて、各チャンネルで放送されるテレビ番組の一覧から成るＥＰＧ（Electronic Program Guide）画面を前記テレビモニタに表示させるＥＰＧ画面表示機能を有し、前記操作手段によりテレビ番組の一覧を表示させる操作が行われたとき、前記チャンネルマップ中に含まれる全てのチャンネルに対して前記判断を行い、同一内容番組放送チャンネルがあると判断したとき、当該同一内容番組放送チャンネルについて前記判別を行い、前記判別を行った結果、同一内容番組放送チャンネル中にＳＤ放送のチャンネルとＨＤ放送のチャンネルの双方があるとき、同一内容番組放送チャンネルのテレビ番組として、当該チャンネル中に含まれるＨＤ放送のチャンネルのテレビ番組のみをＥＰＧ画面上に表示することを特徴とするものである。
【０００８】
請求項３の発明は、請求項１又は請求項２に記載の発明において、前記制御手段は、前記操作手段により所定の操作が行われたとき、前記チャンネルマップ中に含まれる全てのチャンネルに対して前記判断を行い、同一内容番組放送チャンネルがあると判断したとき、当該同一内容番組放送チャンネルについて前記判別を行い、前記判別を行った結果、同一内容番組放送チャンネル中にＳＤ放送のチャンネルとＨＤ放送のチャンネルの双方があるとき、自動的に又は前記操作手段での操作に応じて、前記チャンネルマップから同一内容番組放送チャンネル中に含まれるＳＤ放送のチャンネルの情報を削除することを特徴とするものである。
【発明の効果】
【０００９】
請求項１の発明によれば、選局されたチャンネルがＳＤ放送のチャンネルであるとき、自動的に又は前記操作手段での操作に応じて、同一内容番組放送チャンネル中に含まれるＨＤ放送のチャンネルに切り替わり、テレビモニタにはＨＤ放送のテレビ番組が表示される。そのため、ユーザは容易に、高画質なＨＤ放送でテレビ番組を視聴することが可能となる。
【００１０】
請求項２の発明によれば、同一内容の番組を放送するチャンネルとして、テレビ番組の一覧中に、同一内容番組放送チャンネル中に含まれるＨＤ放送のチャンネルのもののみが表示されるので、ＥＰＧ画面の視認性が向上すると共に、ＥＰＧ画面上での選局操作が容易となる。
【００１１】
請求項３の発明によれば、チャンネルマップから同一内容番組放送チャンネル中に含まれるＳＤ放送のチャンネルの情報が削除されるので、同一内容の番組についてはＳＤ放送のチャンネルが選局されることがなくなり、テレビモニタにはＨＤ放送のテレビ番組が表示される。そのため、ユーザは一層容易に、高画質なＨＤ放送でテレビ番組を視聴することが可能となる。
【発明を実施するための最良の形態】
【００１２】
本発明の一実施形態に係るデジタル放送信号受信装置について図面を参照して説明する。図１は本実施形態に係るデジタル放送信号受信装置のブロック構成を示す。デジタル放送信号受信装置（以下、本受信装置という）１は、テレビ放送局から発信される放送信号を受信し、この放送信号に含まれる映像信号や音声信号等をモニタ装置等の外部装置に出力する装置であり、チューナ２（受信手段）と、デコーダ部（復号手段）３と、オンスクリーンディスプレイ（ＯＳＤ）部４と、リモコン（操作手段）５と、リモコン受信部６と、メモリ（記憶手段）７と、ＣＰＵ（制御手段）８とを備える。本受信装置１には、ＤＶＢ（Digital Video Broadcasting）規格により規定されるＳＤ（Standard Definition）放送信号とＨＤ（High Definition）放送信号からなるデジタル放送信号を受信するためのアンテナ９と、テレビ番組の映像を映し出すと共にその音声を出力することが可能なモニタ装置１０が接続される。
【００１３】
ＳＤ放送信号とＨＤ放送信号はそれぞれ、ＳＤ放送データとＨＤ放送データが符号化されたものであり、ＳＤ放送データとＨＤ放送データには、上述した映像信号及び音声信号と、自局で配信しているテレビ番組の放送開始時間や放送終了時間、種類、タイトル、あらすじ、主な出演者等の番組情報が含まれている。番組情報は、各チャンネル毎に独自に作成されて配信されており、番組情報の配信時刻や１回に配信される番組情報の情報量（何時間又は何日先のテレビ番組まで含まれているか）は様々である。
【００１４】
チューナ２は、受信周波数をユーザにより選局された物理チャンネルに対応する周波数に同調させることにより、そのチャンネルにおけるＳＤ放送信号又はＨＤ放送信号をアンテナ９を介して受信する。ここで、ＳＤ放送信号はＭＰＥＧ−２規格によって符号化され、ＨＤ放送信号はＨ．２６４規格によって符号化されている。
【００１５】
デコーダ部３は、チューナ２によって受信されたデジタル放送信号に対して復調処理や誤り訂正処理等を行って、多重化された信号から必要なＴＳパケットを分離するＴＳ変換回路と、分離した各ＴＳパケットに対して復号化処理を行う映像デコード回路、音声デコード回路及びデータデコード回路（いずれも不図示）で構成される。映像デコード回路は、映像信号を含むＴＳパケットに対して復号化処理を行い、映像信号を抽出する。抽出された映像信号はＯＳＤ部を介してモニタ装置１０に出力されて、モニタ装置１０のモニタ画面１１に映像が表示される。音声デコード回路は、音声信号を含むＴＳパケットに対して復号化処理を行い、音声信号を抽出する。抽出された音声信号はモニタ装置１０に出力されて、モニタ装置１０のスピーカ１２から音声出力される。データデコード回路は、上記番組情報であるＳＩ（Service Information）データを含むＴＳパケットに対して復号化処理を行い、ＳＩデータが抽出される。抽出されたＳＩデータは、ＴＳパケットに用いられるプログラム仕様情報であるＰＭＴ（Program MAP Table）やＥＰＧ（Electronic Program Guide）画像を生成する際に使用されるＳＤＴ（Service Description Table）及びＥＩＴ（Event Information Table）等を有している。
【００１６】
ＯＳＤ部４は、デコーダ部３から入力された映像信号に所定の表示画像を重畳させて、モニタ装置１０に出力する。リモコン５は、本受信装置１のＯＮ／ＯＦＦを行うための電源ボタン５１、ＥＰＧ画面を表示させるためのＥＰＧボタン５２、チャンネル選局を行うためののテンキー５３や方向キー５４等を備えており、ユーザによるキー操作に応じた赤外線信号等の無線信号をリモコン受信部６に送出する。リモコン受信部６は、リモコン５から送出された無線信号を受信し、ＣＰＵ８へ出力する。
【００１７】
メモリ７は、チューナ２が受信可能なチャンネルの情報をチャンネルマップとして記憶する。チャンネルマップは、本受信装置１の初期設定時等において放送信号周波数帯域の全域をスキャンすることで記憶され、その後の選局動作時に使用される。また、メモリ７は、デコーダ部３のデータデコード回路により抽出されたＳＩデータを、受信可能な全てのチャンネルについて記憶する。ＣＰＵ８は、本受信装置１における全体制御を行うものであり、特にこの発明にかかる処理として、以下に述べるごとく、選局されたチャンネルを切り替える選局チャンネル切替処理、所定のチャンネルのテレビ番組一覧を１つにまとめてＥＰＧ画面に表示するＥＰＧ表示処理、ＳＤ放送のチャンネルデータを削除するチャンネル情報削除処理を実行する。
【００１８】
次に、上記のように構成されたデジタル放送信号受信装置１での選局チャンネル切替処理におけるＣＰＵ８の動作手順について説明する。図２は、選局チャンネル切替処理のフローチャートを示す。ユーザがチャンネル選局を行うと（Ｓ１）、選局されたチャンネルで放送されている番組と同一内容の番組を、選局された時間帯に放送している２以上の同一内容番組放送チャンネルがチャンネルマップ中に含まれるか否かの判断を行う（Ｓ２）。具体的には、メモリ７に記憶されたＳＩデータのＥＩＴに基づき、現時点において、番組名が一致するチャンネルがあるか否かの判断を行う。ここで、チャンネル選局を行うための操作としては、テンキー５３によりチャンネル番号を直接指定するダイレクト選局操作や、方向キー５４によりチャンネルを順次アップもしくはダウンさせるアップ／ダウン選局操作が挙げられる。
【００１９】
同一内容番組放送チャンネルがあると判断したとき（Ｓ２でＹＥＳ）、同一内容番組放送チャンネルに含まれる各チャンネルについて、ＳＤ放送又はＨＤ放送のいずれであるかの放送種別の判別を行う（Ｓ３）。同一内容番組放送チャンネルがないと判断したとき（Ｓ２でＮＯ）、何も動作を行わずに（Ｓ４）、本処理を終了する。上記判別を行う際には、ＰＭＴのstream_typeがＭＰＥＧ−２フォーマット又はＨ．２６４フォーマットかどちらであるかを判別し、ＭＰＥＧ−２フォーマットの場合はＳＤ放送とし、Ｈ．２６４フォーマットの場合はＨＤ放送とする。このような方法のほかに、ＳＤＴ又はＥＩＴにおけるComponent_descriptorがＭＰＥＧ−２又はＨ．２６４のどちらであるかを判別する方法であってもよい。
【００２０】
判別の結果、選局されたチャンネルがＳＤ放送のチャンネルであって、同一内容番組放送チャンネル中にＨＤ放送のチャンネルがあるとき（Ｓ３でＹＥＳ）、選局されたチャンネルを同一内容番組放送チャンネル中に含まれるＨＤ放送のチャンネルに自動的に切り替える（Ｓ５）。なお、同一内容番組放送チャンネル中にＨＤ放送のチャンネルが複数あるときには、いずれのＨＤ放送のチャンネルに切り替えても構わない。選局されたチャンネルがＳＤ放送のチャンネルであって、同一内容番組放送チャンネル中にＨＤ放送のチャンネルがないとき、あるいは同一内容番組放送チャンネル内でチャンネルの放送種別を問わず、選局されたチャンネルがＨＤ放送であるとき（Ｓ３でＮＯ）、何も動作を行わずに（Ｓ６）、本処理を終了する。ここで、Ｓ３でのＨＤ放送のチャンネルに自動的に切り替えることのほかに、選局されたチャンネルで放送されている番組と同一内容の番組が他チャンネルで放送されていることをＯＳＤ部４によりモニタ画面１１に表示させて、ＨＤ放送のチャンネルに切り替えることをユーザによって選択させるようにしてもよい。
【００２１】
以上のように、選局されたチャンネルがＳＤ放送のチャンネルであるとき、自動的に又はリモコン５での操作に応じて、同一内容番組放送チャンネル中に含まれるＨＤ放送のチャンネルに切り替わり、モニタ画面１１にはＨＤ放送のテレビ番組が表示される。そのため、ユーザは容易に、高画質なＨＤ放送でテレビ番組を視聴することが可能となる。
【００２２】
次に、ＥＰＧ表示処理におけるＣＰＵ８の動作手順について説明する。図３は、ＥＰＧ表示処理のフローチャートを示す。ユーザがリモコン５のＥＰＧボタン５２を押下すると（Ｓ７）、２以上の同一内容番組放送チャンネルがチャンネルマップ中に含まれるか否かの判断を行う（Ｓ８）。具体的には、メモリ７に記憶されたＳＩデータのＥＩＴに基づき、現時点から所定期間（例えば２週間）先において、番組名、番組開始時間及び番組終了時間が全て一致するチャンネルがあるか否かの判断を行う。
【００２３】
同一内容番組放送チャンネルがあると判断したとき（Ｓ８でＹＥＳ）、同一内容番組放送チャンネルに含まれる各チャンネルについて、ＳＤ放送又はＨＤ放送のいずれであるかの放送種別の判別を行う（Ｓ９）。同一内容番組放送チャンネルがないと判断したとき（Ｓ８でＮＯ）、メモリ７に記憶されたＥＩＴやＳＤＴに基づき、各チャンネル毎のテレビ番組の一覧を表すＥＰＧ画面を表示させる（Ｓ１０）。判別の結果、同一内容番組放送チャンネル中にＳＤ放送とＨＤ放送の双方のチャンネルがあるとき（Ｓ９でＹＥＳ）、同一内容番組放送チャンネルのテレビ番組については、当該チャンネル中に含まれるＨＤ放送のチャンネルにまとめてＥＰＧ画面を表示させる（Ｓ１１）。
【００２４】
図４（ａ）は、各チャンネルが別々に表示されたＥＰＧ画面の一例を示し、図４（ｂ）は、図４（ａ）において同一内容番組放送チャンネルがまとめて表示されたＥＰＧ画面を示す。図４（ａ）では、チャンネルＡ、Ｂ、Ｃ、Ｄのテレビ番組の一覧が表示されており、チャンネルＡとチャンネルＤで同一内容の番組（番組１、番組２、番組３、番組４、番組５）をそれぞれ同一の時間帯で放送する。ここで、チャンネルＡはＨＤ放送のチャンネルであり、チャンネルＤはＳＤ放送のチャンネルである。このように表示されたＥＰＧ画面に対して上述したＳ１１の処理が行われると、図４（ｂ）のように、ＳＤ放送のチャンネルＤが表示されなくなる。同一内容番組放送チャンネル中にＳＤ放送又はＨＤ放送のどちらか一方のチャンネルがあるとき（Ｓ９でＮＯ）、同一内容番組放送チャンネルについては、複数のチャンネルを単一のチャンネルにまとめてＥＰＧ画面に表示させる（Ｓ１２）。
【００２５】
以上のように、同一内容の番組を放送するチャンネルとして、テレビ番組の一覧中に、同一内容番組放送チャンネル中に含まれるＨＤ放送のチャンネルのもののみが表示されるので、ＥＰＧ画面の視認性が向上すると共に、ＥＰＧ画面上での選局操作が容易となる。
【００２６】
次に、チャンネル情報削除処理におけるＣＰＵ８の動作手順について説明する。図５は、チャンネル情報削除処理のフローチャートを示す。本受信装置１の初期設定時等においてチャンネルマップを登録するチャンネルサーチが実行されると（Ｓ１３）、上述したＳ８と同様に、同一内容番組放送チャンネルがチャンネルマップ中に含まれるか否かの判断を行う（Ｓ１４）。同一内容番組放送チャンネルがあると判断したとき（Ｓ１４でＹＥＳ）、同一内容番組放送チャンネルに含まれる各チャンネルについて、ＳＤ放送又はＨＤ放送のいずれであるかの放送種別の判別を行う（Ｓ１５）。同一内容番組放送チャンネルがないと判断したとき（Ｓ１４でＮＯ）、何も動作を行わずに（Ｓ１６）、本処理を終了する。
【００２７】
同一内容番組放送チャンネル中にＳＤ放送とＨＤ放送の双方のチャンネルがあるとき（Ｓ１２でＹＥＳ）、同一内容の番組を同一の時間帯に放送するチャンネルがあることをＯＳＤ部４によりモニタ画面１１に表示させ、チャンネルマップから同一内容番組放送チャンネル中に含まれるＳＤ放送のチャンネルの情報を削除する（Ｓ１７）。同一内容番組放送チャンネルにおいてＳＤ放送とＨＤ放送の双方の放送種別が判別されないとき（Ｓ１５でＮＯ）、何も動作を行わずに（Ｓ１８）、本処理を終了する。ここで、Ｓ１７の処理においては、チャンネルマップに同一内容の番組を同一の時間帯に放送するチャンネルがあることをＯＳＤ部４によりモニタ画面１１に表示させた後、ＳＤ放送のチャンネルを削除することをユーザによって選択させるようにしてもよい。
【００２８】
以上のように、チャンネルマップから同一内容番組放送チャンネル中に含まれるＳＤ放送のチャンネルの情報を削除することができるので、同一内容の番組についてはＳＤ放送のチャンネルが選局されることがなくなり、テレビモニタにはＨＤ放送のテレビ番組が表示される。そのため、ユーザは一層容易に、高画質なＨＤ放送でテレビ番組を視聴することが可能となる。
【００２９】
なお、本発明は、上記各種実施形態の構成に限られず、発明の趣旨を変更しない範囲で種々の変形が可能である。例えば、ＥＰＧ画面表示時にＥＰＧのデータが更新された場合にも、同様の処理を行うように構成したものであってもよい。また、チューナ機能を内蔵するＴＶ受像機やデジタルビデオレコーダであってもよい。
【図面の簡単な説明】
【００３０】
【図１】本発明の一実施形態に係るデジタル放送信号受信装置を示すブロック図。
【図２】上記受信装置における選局チャンネル切替処理を示すフローチャート。
【図３】上記受信装置におけるＥＰＧ表示処理を示すフローチャート。
【図４】（ａ）は各チャンネルが別々に表示されたＥＰＧ画面を示す図、（ｂ）は図４（ａ）において同一内容番組放送チャンネルがまとめて表示されたＥＰＧ画面を示す図。
【図５】上記受信装置におけるチャンネル情報削除処理を示すフローチャート。
【符号の説明】
【００３１】
１  デジタル放送信号受信装置
２  チューナ（受信手段）
３  デコーダ部（復号手段）
５  リモコン（操作手段）
７  メモリ（記憶手段）
８  ＣＰＵ（制御手段）
１０  モニタ装置（テレビモニタ）
【図１】
2009152739.tif 000003
【図２】
2009152739.tif 000004
【図３】
2009152739.tif 000005
【図４】
2009152739.tif 000006
【図５】
2009152739.tif 000007